(57)【特許請求の範囲】
【請求項１】
吸収材料を内装し、その長手方向を前後方向として股部に当接される平板状吸収本体部を備えた吸収性物品であって、
該平板状吸収本体部の短幅方向両端部に吸収材料の内装された液漏れ防止用堤部が形成され、
該堤部の頂部には弾性体が設けられ、
該堤部の外側面上方を透水性シートで構成すると共に、下方側を非透水性シートで構成し、
該堤部の内側が非親水性であることを特徴とする吸収性物品。
【請求項２】
吸収材料を内装し、その長手方向を前後方向として股部に当接される吸収本体部と、該吸収本体部を一体的に支持する外装部を備えた吸収性物品であって、
前記吸収本体部は、前記吸収材料を、その身体側面をトップシート、反身体側面を外側シートで挟んだ構成であり、
前記外装部は、バックシートと非透液性のサイド封止シートを有し、
前記吸収本体部の反身体側面の前記外側シートまたは前記バックシートのいずれかが非透液性シートを備え、
前記吸収本体部には、その短幅方向両端部に前記吸収材料の内装された液漏れ防止用堤部が形成され、
該堤部の頂部には弾性体が設けられ、
該堤部の外側面上方を透水性シートで構成すると共に、下方側を前記サイド封止シートが覆い、
前記堤部の内側が非親水性であり、
前記堤部以外の吸収本体部の底部分における反身体側面を、前記バックシートが覆ったものであることを特徴とする吸収性物品。
【請求項３】
前記サイド封止シートと前記バックシートは、前記堤部の基端から外方向に延設され、レッグ用弾性体を挟んで重ねられて一体化されている請求項２に記載の吸収性物品。
【請求項４】
前記堤部は、前記吸収本体部の短幅方向両側が折れ曲がって形成されている請求項１〜３のいずれかに記載の吸収性物品。
【請求項５】
請求項１〜４のいずれかに記載の吸収性物品の身体側に、着脱自在の吸収性パッドが備えられたことを特徴とする積層型吸収性物品。
【発明の詳細な説明】
【０００１】
【発明の属する技術分野】
本発明は、使い捨ておむつや生理用ナプキン，失禁パッド等の吸収性物品、また積層型の吸収性物品に関するものであり、縁からの漏れの防止、特に横向きに寝た場合に生じる所謂横漏れの防止に優れた効果を発揮する吸収性物品に関するものである。
【０００２】
【従来の技術】
図４は従来の使い捨ておむつ５０の股部分を示す横断面図である（従来例▲１▼）。該おむつは、吸収体（吸収材料）１４を透液性のトップシート１３と非透液性のバックシート１５で挟んだものであり、その身体側における左右側縁近傍（短辺方向両端近傍）には堤部（立体ギャザー）１９が帯状に形成されている。該堤部１９は、その頂部に堤用ゴム１７を挟んだ非透液性シート１６からなり、該堤用ゴム１７が収縮することにより堤部１９が立ち上がる。そして該堤部１９によって尿や便等が堰き止められ、おむつの両側縁からの漏れが防止される。
【０００３】
上記堤部１９の非透液性シート１６は上記吸収体１４の側縁より更に外方向に延設され、同じく吸収体１４側縁より外方向に延設したバックシート１５に重ねられる。この重なった非透液性シート１６とバックシート１５の間にはレッグ用ゴム１８が設けられており、該レッグ用ゴム１８によっておむつが脚繰りにフィットする（レッグギャザー１２）。このレッグギャザー１２と上記堤部１９により、尿等の流れに対して二重に横漏れ防止が図られる。
【０００４】
図５は上記使い捨ておむつ５０の身体側に併用パッド（吸収性パッド）６０を設けた積層型使い捨ておむつ７０を示す股部分の横断面図である（従来例▲２▼）。尚図４と同じ構成部分については同一の符号を付して重複説明を避ける。
【０００５】
上記併用パッド６０は吸収体（吸収材料）２４を透液性のトップシート２３と非透液性のバックシート２５で挟んだものであり、側縁にはゴム２７が設けられている。
【０００６】
併用パッドを積層しないタイプの使い捨ておむつ５０の場合は、少量の尿で汚れたときも該使い捨ておむつ５０全体を廃棄しなければならないが、上記積層型使い捨ておむつ７０は、少量の尿が排出されただけであれば併用パッド６０のみが汚れるだけで、該併用パッドを取り除けば未汚染の使い捨ておむつ５０として使用することができる。上記併用パッド６０は、おむつ本体である使い捨ておむつ５０に比べて構造が簡単で、安価であるから、この様な積層型使い捨ておむつ７０は使用コストを低く抑えることができる。
【０００７】
【発明が解決しようとする課題】
ところでおむつを着用したとき、股部分の形状としては図６（従来例▲２▼の積層型使い捨ておむつ７０を着用した状態を表す股部分の横断面図）に示す様に、おむつは着用者の脚によって左右から力（矢印Ｃ）を受け、一般に断面へ字状に変形する。また堤部１９は内側に寝るようになって併用パッド６０の身体側表面に接近する。
【０００８】
そして例えば尿が放出されたとき、尿の流れが併用パッド６０の吸収速度を上回った場合は、断面へ字状の併用パッド表面に沿って堤部１９の内側（矢印Ｂ）や堤部１９の外側（矢印Ａ）に尿が流れる。矢印Ｂに示す様に堤部１９の内側に尿が流れる場合には、堤部１９により堰き止められて横漏れを生じないが、矢印Ａに示す様に堤部１９の外側に尿が流れた場合には、非透液性シート１６外表面を伝ってレッグギャザー１２に至り、レッグギャザー１２の堰き止め限界を超えると、尿等が下着や衣服に達して汚してしまう懸念がある。特に着用者が横向きに寝たときは、矢印Ａの様に流れやすく、横漏れする場合が多いということが分かった。
【０００９】
上述の例では積層型使い捨ておむつの場合を示したが、積層しないタイプの使い捨ておむつの場合も同様に、おむつは断面へ字状に変形し、また堤部１９が内側に寝るように身体側表面（トップシート１３）に接近することから、堤部１９の外側に尿等が流れ出る場合が多くなる。
【００１０】
そこで本発明は以上の問題に鑑みてなされたものであり、優れた横漏れ防止効果を発揮し得る吸収性物品（例えば使い捨ておむつ）及び積層型吸収性物品を提供することを目的とする。
【００１１】
【課題を解決するための手段】
本発明に係る吸収性物品は、吸収材料を内装し、その長手方向を前後方向として股部に当接される平板状吸収本体部を備えた吸収性物品であって、該平板状吸収本体部の短幅方向両端部に吸収材料の内装された液漏れ防止用堤部が形成され、該堤部の頂部には弾性体（以下、堤用弾性体と称することがある）が設けられ、該堤部の外側面上方を透水性シートで構成すると共に、下方側を非透水性シートで構成したものであることを要旨とする。
【００１２】
また本発明に係る吸収性物品は、吸収材料を内装し、その長手方向を前後方向として股部に当接される吸収本体部と、該吸収本体部を一体的に支持する外装部を備えた吸収性物品であって、前記吸収本体部が、前記吸収材料を、その身体側面をトップシート、反身体側面を外側シートで挟んだ構成であり、前記外装部が、バックシートと非透液性のサイド封止シートを有し、前記吸収本体部の反身体側面の前記外側シートまたは前記バックシートのいずれかが非透液性シートを備え、前記吸収本体部には、その短幅方向両端部に前記吸収材料の内装された液漏れ防止用堤部が形成され、該堤部の頂部には弾性体（堤用弾性体）が設けられ、該堤部の外側面上方を透水性シートで構成すると共に、下方側を前記サイド封止シートが覆い、前記堤部以外の吸収本体部の底部分における反身体側面を、前記バックシートが覆ったものであることを要旨とする。
【００１３】
本発明の吸収性物品の堤部は外側からの吸収が可能であるから、上記矢印Ａの様に堤部の外側に流れ込んだ尿等を該堤部で吸収することができる。つまり外側に流れ込んだ尿等は衣服等に至る前に堤部に吸収されることとなる。
【００１４】
尚上記堤用弾性体が収縮することにより、上記堤部がしっかりと立ち上がる様になり、尿等の横方向への流れを良好に堰き止めることができる。
【００１５】
更に本発明に係る吸収性物品において、前記堤部の内側が非親水性であることが好ましい。この様なものとしては、堤部の内側に非親水性シートが被覆されたものや、堤部の内側が非親水化処理されたもの等が挙げられ、非親水化処理としては撥水性の樹脂やロウを塗布する方法等が挙げられる。
【００１６】
おむつの中央に排出された大量の尿は、上記堤部の内側で堰き止められ、おむつ中央の吸収材料に吸収されることとなるが、このとき堤部の内側が親水性であると、上記大量の尿は堤部にも吸収され、堤部の吸収力が飽和する。すると堤部の外側に流れ込んだ尿等をもはや吸収できない上、おむつ中央から横側に向かう尿等を堰き止めるという堤部の本来の作用も失われる。
【００１７】
この点上記の様に堤部の内側を非親水性としてものは、おむつ中央に排出された尿等を堰き止めて横方向に向かうのを防止することができ、堤部本来の作用を発揮できる上、堤部の外側に流れ込んだ尿等の吸収能も確保される。
【００１８】
尚堤部の外側に流れ込む尿等は通常少量であると考えられるから、堤部の上記吸収材料をそれ程厚いものとしなくても良く、また着用感という観点から堤部の吸収材料としては比較的薄いものが推奨される。
【００１９】
加えて上記吸収性物品が使い捨ておむつの場合において、上記堤部の外側面下方側を被覆する前記非透液性シート（非透液性サイド封止シート）が、前記バックシートの短幅方向両端で、該バックシートに弾性体（以下、レッグ用弾性体と称することがある）を挟んで一体化されることが好ましい。仮に上記堤部で吸収しきれなかった尿等があっても、このレッグ用弾性体によりレッグギャザー１２が脚まわりにフィットし、横漏れが防止される。
【００２０】
本発明に係る積層型吸収性物品は、前記本発明の吸収性物品の身体側に、着脱自在の吸収性パッドが備えられたことを要旨とする。
【００２１】
この様に積層型の吸収物品は、少量の尿等が排出された場合に該少量の尿等によって汚れた上記吸収性パッドを取り除けば、未汚染の吸収性物品として続けて使用することができ、経済的である。
【００２２】
【発明の実施の形態】
図１は本発明の実施形態１に係る吸収性物品（使い捨ておむつ）の股部分の横断面図である。図２は該使い捨ておむつを身体側から見た平面図であり、上記図１は図２に示すＤ−Ｄ断面に相当する。尚図４と同じ構成部分については同一の符号を付して重複説明を避ける。
【００２３】
該おむつ１０の吸収本体部は、平板状の吸収体（吸収材料）１４を、その身体側面にトップシート４３、反身体側面に透液性の外側シート４４を配して挟んだものであり、該吸収本体部の短幅方向両側が折れ曲がって堤部１９を形成している。尚以下、上記堤部１９以外の底となる部分を底部分と称することがある。
【００２４】
つまり上記透液性外側シート４４は、吸収体１４の底部分の反身体側面から堤部１９の外側を覆い、この堤部１９の上端に設けられた堤用ゴム（堤用弾性体）１７を包むようにして折り返され、トップシート４３に接着される。
【００２５】
上記トップシート４３の素材としては、透液性不織布が用いられ、このうちの堤部１９の領域（トップシート堤領域４３ｓ）にシリコン系撥水剤やホットメルト接着剤が塗布され、撥水性（非親水性）を示す様になっている。そして堤部１９以外の底領域（トップシート底領域４３ｂ）は透液性となっている。尚図中、４３ｔは堤部１９の基端部である。
【００２６】
上記吸収体１４は上記堤部１９の部分（吸収体堤部分１４ｓ）が比較的薄くなっており、堤部１９以外の底部分（吸収体底部分１４ｂ）では比較的厚めであり、大量の尿等を吸収できる様になっている。
【００２７】
上記吸収本体部の底部分の反身体側は、非透液性のバックシート１５（例えばポリエチレンフィルム）により覆われている。また上記堤部１９の外側にはその上半分を除いた裾部分（下方側）を非透液性のサイド封止シート（非透液性シート）２６が覆っている。該サイド封止シート２６と上記バックシート１５は堤部１９の基端から外方向に延設され、レッグ用ゴム（レッグ用弾性体）１８を挟んで重ねられて一体化される。尚バックシート１５とサイド封止シート２６により外装部が構成されている。また図中、２６ａはサイド封止シート２６の堤側端である。
【００２８】
堤部１９の前後端付近（長手方向端付近）では、トップシート底領域４３ｂとトップシート堤領域４３ｓが接合部４１で接合されている（図２）。
【００２９】
また図中、２９は雄型係合部材を備えた取付部材であり、２８はおむつ１０の腹側の反身体側面に設けられた雌型係合部材である。１１は胴回り用ゴムである。
【００３０】
上記堤用ゴム１７が収縮することにより、堤部１９が立ち上がり、おむつの中央に尿等を受け止める空間が形成され、おむつ中央に排出された尿等は吸収体底部分１４ｂで吸収される。このときおむつ中央から横方向に流れる尿等は、撥水性のトップシート堤領域４３ｓにより堰き止められる。
【００３１】
一方堤部１９の外側に流れた尿等は（矢印Ａ）、堤部１９の外側（透液性外側シート４４側）から吸収体堤部分１４ｓに吸収される。堤部１９の裾部（下方側）はサイド封止シート２６で覆われているから、吸収体堤部分１４ｓに吸収された尿等は外にしみ出すことがない。またレッグギャザー１２によりおむつが脚周りにフィットしているから、更に横漏れが防止される。
【００３２】
尚上記バックシート１５の素材としては、非透液性透湿性フィルムがより好ましい。またサイド封止シート２６の素材としては、非透液性透湿性フィルムがより好ましいが、撥水性不織布を用いることもできる。加えて上記堤用ゴム１７やレッグ用ゴム１８の素材としては、ポリウレタンや天然ゴム等が挙げられ、糸状の他、フィルム状であっても良い。上記吸収体１４の素材としては、綿状パルプ、高分子吸収材料、或いはこれらの混合材料、またこれら綿状パルプ等をティッシュペーパーや透水性不織布で被覆したもの、更にホットメルト接着剤や熱融着性繊維を混入させたもの等が挙げられる。上記トップシート４３や透液性外側シート４４としては透水性不織布や親水性不織布，孔開きフィルム等が挙げられる。
【００３３】
上記使い捨ておむつ１０の製造方法としては、まずトップシート４３と透液性外側シート４４の間に吸収体１４を挟みつつ、短幅方向両端部にそれぞれ堤用ゴム１７を配置する。次に堤基端部４３ｔを折り畳み線として身体側に折り返し、長手方向端付近をホットメルト接着剤や超音波シール，熱シール等により接合し（接合部４１）、吸収本体部とする。
【００３４】
次いで該吸収本体部の底部分の反身体側面にバックシート１５を貼付し、上記吸収本体部の堤部の裾部を覆う様にサイド封止シート２６を貼り付けつつ、該サイド封止シート２６と上記バックシート１５の外方向延出部分においてレッグ用ゴム１８を挟んで貼り合わせる。
【００３５】
次に積層型の使い捨ておむつについて説明する。
【００３６】
図３は本発明の実施形態２に係る積層型使い捨ておむつを示す股部分の横断面図であり、該おむつを着用した状態を表している。尚、図１，２，５と同じ構成部分については同一の符号を付して重複説明を避ける。
【００３７】
該積層型使い捨ておむつ２０は、上記使い捨ておむつ１０の身体側に併用パッド（吸収性パッド）６０を重ねたものである。
【００３８】
着用時においては、図に示すように着用者の脚によっておむつ２０は断面へ字状に変形し、また堤部１９は併用パッド６０の身体側表面に接近する。そして特に着用者が横向きに寝ている場合に、堤部１９の外側に尿等が流れやすくなるが（矢印Ａ）、この尿等は上記実施形態１と同様に堤部１９の透液性外側シート４４から吸収体堤部分１４ｓに吸収され、横漏れが良好に防止される。
【００３９】
以上の様に本発明に係る吸収性物品及び積層型吸収性物品に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００４０】
例えば上記実施形態では底部分の吸収材料（吸収体底部分１４ｂ）と堤部分の吸収材料（吸収体堤部分１４ｓ）とが一体となったものを示したが、これに限らず、底部分の吸収材料と堤部分の吸収材料が別体となったものでも良い。
【００４１】
また上記トップシート４３として、堤部１９の領域に非透液性シートを貼付したものを用いても良い。また上記トップシート４３は、それ自体がポリプロピレンのスパンボンド不織布等の撥水性素材であっても良く、この場合においてはトップシート底領域４３ｂを親水化剤により親水化しておくと良い。更にトップシートとして透液性シートと非透液性シートが連続したものを用い、トップシート底領域を４３ｂに透液性シートが、シート堤領域４３ｓに非透液性シートが配置されるようにしても良い。
【００４２】
加えておむつの吸収本体部の底部分に透液性外側シート４４を設けずに、吸収体１４と非透液性バックシート１５を直接積層しても良い。また外側シート４４のうちの吸収本体部底部分については非透液性のシートを用いても良く、この場合においては上記バックシート１５として透液性のシートを用いても構わない。
【００４３】
【発明の効果】
本発明に係る吸収性物品及び積層型吸収性物品は、堤部の外側に流れ込んだ尿等を吸収でき、漏れ防止効果に優れる。
【図面の簡単な説明】
【図１】本発明の実施形態１に係る吸収性物品（使い捨ておむつ）を示す股部分の横断面図。
【図２】本発明の実施形態１に係る吸収性物品（使い捨ておむつ）を身体側から見た平面図。
【図３】本発明の実施形態２に係る積層型使い捨ておむつを示す股部分の横断面図。
【図４】従来の使い捨ておむつの股部分を示す横断面図。
【図５】身体側に併用パッドを設けた積層型使い捨ておむつを示す横断面図。
【図６】従来例▲２▼の使い捨ておむつを着用した状態を表す股部分の横断面図。
【符号の説明】
１０  使い捨ておむつ
１２  レッグギャザー
１４，２４  吸収体
１４ｂ  吸収体底部分
１４ｓ  吸収体堤部分
１５，２５  バックシート
１７  堤用ゴム
１８  レッグ用ゴム
１９  堤部
２０  積層型使い捨ておむつ
２３，４３  トップシート
２６  サイド封止シート
２６ａ  堤側端
４１  接合部
４３ｂ  トップシート底領域
４３ｓ  シート堤領域
４３ｔ  堤基端部
４４  透液性外側シート
６０  併用パッド
【図１】
0004246901.tif 000002
【図２】
0004246901.tif 000003
【図３】
0004246901.tif 000004
【図４】
0004246901.tif 000005
【図５】
0004246901.tif 000006
【図６】
0004246901.tif 000007